【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
利用者が待ち状態であることを検出する待ち状態検出手段と、
前記利用者が待ち状態であることが検出された場合に、前記利用者が携帯する情報端末装置に対して、コンテンツを配信するコンテンツ配信手段と、
前記利用者の視界に、予め登録されている所定の対象物が存在するか否かを検出する対象物検出手段と
を備え、
前記所定の対象物が前記利用者の視界に存在する場合に、前記コンテンツ配信手段が、その対象物に関連付けられたコンテンツを配信するコンテンツ配信装置。
【請求項２】
前記利用者の待ち時間を算出する待ち時間算出手段を備え、
前記コンテンツ配信手段が、前記対象物に関連付けられた前記待ち時間に応じた長さのコンテンツを配信する請求項１に記載のコンテンツ配信装置。
【請求項３】
利用者が待ち状態であることを検出する待ち状態検出手段と、
前記利用者が携帯する情報端末装置に対して、コンテンツを配信するコンテンツ配信手段と、
前記利用者の視界に、予め登録されている所定の対象物が存在するか否かを検出する対象物検出手段と
を備え、
前記所定の対象物が前記利用者の視界に存在しない場合に、前記コンテンツ配信手段が、前記利用者の視界に前記対象物が入るように誘導する情報を配信するコンテンツ配信装置。
【請求項４】
表示手段と、
利用者が待ち状態であることを検出する待ち状態検出手段と、
コンテンツを前記表示手段に表示させる表示制御手段と、
前記利用者の視界に、予め登録されている所定の対象物が存在するか否かを検出する対象物検出手段と
を備え、
前記対象物検出手段が、
現在地の位置情報を取得する位置情報取得手段と、
前記利用者の視線の方向を検出する視線方向検出手段と、
前記位置情報取得手段により取得された位置情報及び前記視線方向検出手段により検出された視線の方向に基づいて決定される所定の視野範囲に、前記利用者の視界に予め登録されている所定の対象物が存在するか否かを判定する判定手段と
を有し、
前記待ち状態検出手段により、前記利用者が待ち状態であることが検出され、前記対象物検出手段により、前記所定の対象物が前記利用者の視界に存在することが検出された場合に、前記表示制御手段が、前記コンテンツを前記表示手段に表示させる情報端末装置。
【請求項５】
コンテンツを配信しているコンテンツ配信装置からコンテンツを受信する受信手段を備え、
前記コンテンツは、前記受信手段により受信されたコンテンツである請求項４に記載の情報端末装置。
【請求項６】
前記コンテンツは、前記対象物に関連付けられているコンテンツである請求項５に記載の情報端末装置。
【請求項７】
表示手段と、
利用者が待ち状態であることを検出する待ち状態検出手段と、
コンテンツを前記表示手段に表示させる表示制御手段と、
前記利用者の視界に、予め登録されている所定の対象物が存在するか否かを検出する対象物検出手段と
を備え、
前記対象物検出手段が、
利用者の視野方向の風景を撮像する撮像手段と、
前記撮像手段により取得された画像と、予め登録されている所定の対象物の画像とを照合する照合手段と、
前記照合手段の結果に応じて、前記利用者の視界に予め登録されている所定の対象物が存在するか否かを判定する判定手段と
を有し、
前記待ち状態検出手段により、前記利用者が待ち状態であることが検出され、前記対象物検出手段により、前記所定の対象物が前記利用者の視界に存在することが検出された場合に、前記表示制御手段が、前記コンテンツを前記表示手段に表示させる情報端末装置。
【請求項８】
コンテンツを配信しているコンテンツ配信装置からコンテンツを受信する受信手段を備え、
前記コンテンツは、前記受信手段により受信されたコンテンツである請求項７に記載の情報端末装置。
【請求項９】
前記コンテンツは、前記対象物に関連付けられているコンテンツである請求項８に記載の情報端末装置。
【請求項１０】
前記表示手段は、
前記コンテンツを表示させる画像表示手段と、
使用者の視線方向の実視野からの光を透過するとともに、前記画像表示手段に表示された情報を光学的に虚像として、前記実視野中に重畳的に表示する半透過光学素子と
を具備する請求項４から請求項９のいずれかの項に記載の情報端末装置。
【請求項１１】
前記表示制御手段が、前記所定の対象物に追従させて、前記コンテンツを前記表示手段に表示させる請求項４から請求項１０のいずれかの項に記載の情報端末装置。
【請求項１２】
利用者に携帯される情報端末装置と、前記情報端末装置に対してコンテンツを配信するコンテンツ配信装置とを備え、
前記コンテンツ配信装置が、
前記利用者が待ち状態であることが検出された場合に、前記情報端末装置にコンテンツを配信するコンテンツ配信手段を備え、
前記情報端末装置が、
表示手段と、
前記コンテンツ配信装置と通信を行う通信手段と、
前記通信手段を介して前記コンテンツ配信装置から取得したコンテンツを前記表示手段に表示させる表示制御手段と
を備えるコンテンツ配信システム。
【手続補正２】
【補正対象書類名】明細書
【補正対象項目名】発明の名称
【補正方法】変更
【補正の内容】
【発明の名称】コンテンツ配信装置、情報端末装置、及びコンテンツ配信システム
【手続補正３】
【補正対象書類名】明細書
【補正対象項目名】０００４
【補正方法】変更
【補正の内容】
【０００４】
この発明は上述した事情に鑑みてなされたものであって、テーマパークやアミューズメントパークなどのアトラクションへの入場待ちや、電車、バスなどの乗車待ちなど、待ち状態にある利用者に対してコンテンツを配信することにより、利用者を退屈させることなく、待ち時間を楽しく過ごさせることができるコンテンツ配信装置、情報端末装置、及びコンテンツ配信システムを提供することを目的とする。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
上記目的を達成するために、本発明は、以下の手段を提供する。
本発明は、利用者が待ち状態であることを検出する待ち状態検出手段と、前記利用者が待ち状態であることが検出された場合に、前記利用者が携帯する情報端末装置に対して、コンテンツを配信するコンテンツ配信手段と、前記利用者の視界に、予め登録されている所定の対象物が存在するか否かを検出する対象物検出手段とを備え、前記所定の対象物が前記利用者の視界に存在する場合に、前記コンテンツ配信手段が、その対象物に関連付けられたコンテンツを配信するコンテンツ配信装置を提供する。
【手続補正１１】
【補正対象書類名】明細書
【補正対象項目名】００１２
【補正方法】変更
【補正の内容】
【００１２】
上記構成によれば、利用者が待ち状態であるか否かが待ち状態検出手段により検出された場合には、コンテンツ配信手段により、利用者が携帯する情報端末装置に対してコンテンツが配信される。これにより、待ち状態である利用者にコンテンツを提供することが可能となるので、利用者を退屈させることなく、待ち時間を楽しく過ごさせることが可能となる。
更に、予め登録されている所定の対象物が利用者の視界に存在することが対象物検出手段により検出された場合に、その対象物に関連付けられたコンテンツがコンテンツ配信手段により配信されるので、利用者に対して有用な情報や、エンターテイメント性の高い情報を提供することが可能となる。これにより、利用者をより楽しませることができる。
上記待ち状態の一例として、アミューズメントパークやテーマパークなどの施設のアトラクション、映画館や店舗等の特定の場所への入場待ち、電車又はバス等の乗り物への乗車待ち、或いは、飛行機などへの搭乗待ちなどが挙げられる。
上記待ち状態検出手段は、例えば、利用者が一定の場所に、所定の期間以上、留まっていた場合に、待ち状態であることを検出する。
上記待ち状態検出手段は、例えば、コンテンツを配信する情報端末装置から利用者が待ち状態であることを示す所定の情報を受信した場合に、利用者が待ち状態であることを検出する。
前記対象物検出手段は、例えば、利用者が携帯する情報端末装置から利用者の視界に予め登録されている所定の対象物が存在する旨を示す情報を取得した場合に、利用者の視界に所定の対象物が存在することを検出する。
前記対象物検出手段は、例えば、利用者が携帯する情報端末装置から利用者の視野方向における画像を取得し、この画像と予め登録されている所定の対象物の画像とを照合することにより、利用者の視界に所定の対象物が存在するか否かを検出する。
【手続補正１２】
【補正対象書類名】明細書
【補正対象項目名】００１３
【補正方法】変更
【補正の内容】
【００１３】
本発明のコンテンツ配信装置は、前記利用者の待ち時間を算出する待ち時間算出手段を備え、前記コンテンツ配信手段が、前記対象物に関連付けられた前記待ち時間に応じた長さのコンテンツを配信しても良い。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明は、利用者が待ち状態であることを検出する待ち状態検出手段と、前記利用者が携帯する情報端末装置に対して、コンテンツを配信するコンテンツ配信手段と、前記利用者の視界に、予め登録されている所定の対象物が存在するか否かを検出する対象物検出手段とを備え、前記利用者の視界に前記所定の対象物が存在しない場合に、前記コンテンツ配信手段が、前記利用者の視界に前記対象物が入るように誘導する情報を配信するコンテンツ配信装置を提供する。
【手続補正１６】
【補正対象書類名】明細書
【補正対象項目名】００１９
【補正方法】変更
【補正の内容】
【００１９】
本発明は、表示手段と、利用者が待ち状態であることを検出する待ち状態検出手段と、コンテンツを前記表示手段に表示させる表示制御手段と、前記利用者の視界に、予め登録されている所定の対象物が存在するか否かを検出する対象物検出手段とを備え、前記対象物検出手段が、現在地の位置情報を取得する位置情報取得手段と、前記利用者の視線の方向を検出する視線方向検出手段と、前記位置情報取得手段により取得された位置情報及び前記視線方向検出手段により検出された視線の方向に基づいて決定される所定の視野範囲に、前記利用者の視界に予め登録されている所定の対象物が存在するか否かを判定する判定手段とを有し、前記待ち状態検出手段により、前記利用者が待ち状態であることが検出され、前記対象物検出手段により、前記所定の対象物が前記利用者の視界に存在することが検出された場合に、前記表示制御手段が、前記コンテンツを前記表示手段に表示させる情報端末装置を提供する。
【手続補正１７】
【補正対象書類名】明細書
【補正対象項目名】００２０
【補正方法】変更
【補正の内容】
【００２０】
上記構成によれば、待ち状態検出手段によって、利用者が待ち状態であることが検出され、かつ、対象物検出手段により予め登録されている所定の対象物が利用者の視界に存在することが検出された場合に、コンテンツが表示制御手段により表示手段に表示されることとなる。これにより、待ち状態である利用者を退屈させることなく、楽しく待ち時間を過ごさせることができる。
また、上記構成によれば、利用者の位置が位置情報取得手段により取得され、利用者の視線の方向が視線方向検出手段により検出される。そして、判定手段により、利用者の位置と、利用者の視線の方向とにより所定の視野範囲が決定され、この所定の視野範囲に予め登録されている所定の対象物が存在するか否かが判定されることとなる。これにより、利用者の視界に対象物が存在するか否かを正確に検出することが可能となる。
【手続補正１８】
【補正対象書類名】明細書
【補正対象項目名】００２１
【補正方法】変更
【補正の内容】
【００２１】
本発明の情報端末装置は、コンテンツを配信しているコンテンツ配信装置からコンテンツを受信する受信手段を備え、前記表示制御手段が、前記受信手段により受信されたコンテンツを前記表示手段に表示させても良い。
【手続補正１９】
【補正対象書類名】明細書
【補正対象項目名】００２２
【補正方法】変更
【補正の内容】
【００２２】
上記構成によれば、コンテンツ配信装置から配信されたコンテンツが、受信手段により受信され、このコンテンツが表示制御手段により表示手段に表示され、待ち状態である利用者に提供されることとなる。これにより、利用者を退屈させることなく、楽しく待ち時間を過ごさせることが可能となる。
【手続補正２０】
【補正対象書類名】明細書
【補正対象項目名】００２３
【補正方法】変更
【補正の内容】
【００２３】
本発明の情報端末装置において、前記コンテンツは、前記対象物に関連付けられているコンテンツであってもよい。
【手続補正２１】
【補正対象書類名】明細書
【補正対象項目名】００２４
【補正方法】変更
【補正の内容】
【００２４】
上記構成によれば、対象物に関連付けられたコンテンツが表示制御手段により表示手段に表示されることとなる。これにより、利用者に対して有用な情報や、エンターテイメント性の高い情報を提供することが可能となり、利用者をより楽しませることができる。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】変更
【補正の内容】
【００２９】
本発明は、表示手段と、利用者が待ち状態であることを検出する待ち状態検出手段と、コンテンツを前記表示手段に表示させる表示制御手段と、前記利用者の視界に、予め登録されている所定の対象物が存在するか否かを検出する対象物検出手段とを備え、前記対象物検出手段が、利用者の視野方向の風景を撮像する撮像手段と、前記撮像手段により取得された画像と、予め登録されている所定の対象物の画像とを照合する照合手段と、前記照合手段の結果に応じて、前記利用者の視界に予め登録されている所定の対象物が存在するか否かを判定する判定手段とを有し、前記待ち状態検出手段により、前記利用者が待ち状態であることが検出され、前記対象物検出手段により、前記所定の対象物が前記利用者の視界に存在することが検出された場合に、前記表示制御手段が、前記コンテンツを前記表示手段に表示させる情報端末装置を提供する。
【手続補正２７】
【補正対象書類名】明細書
【補正対象項目名】００３０
【補正方法】変更
【補正の内容】
【００３０】
上記構成によれば、待ち状態検出手段によって、利用者が待ち状態であることが検出され、かつ、対象物検出手段により予め登録されている所定の対象物が利用者の視界に存在することが検出された場合に、その対象物に関連付けられたコンテンツが表示制御手段により表示手段に表示されることとなる。これにより、待ち状態である利用者を退屈させることなく、楽しく待ち時間を過ごさせることができるだけでなく、利用者に対して有用な情報や、エンターテイメント性の高い情報を提供することが可能となる。よって、利用者をより楽しませることができる。
更に、上記構成によれば、利用者の視野方向の風景が撮像手段により撮像され、撮像手段により取得された画像と予め登録されている所定の対象物の画像とが照合手段により照合される。そして、この照合結果に応じて、利用者の視界に予め登録されている所定の対象物が存在するか否かが判定手段により判定される。
これにより、利用者の視界に予め登録されている所定の対象物が存在するか否かを正確に検出することが可能となる。
【手続補正２８】
【補正対象書類名】明細書
【補正対象項目名】００３１
【補正方法】変更
【補正の内容】
【００３１】
本発明の情報端末装置において、コンテンツを配信しているコンテンツ配信装置からコンテンツを受信する受信手段を備え、前記コンテンツは、前記受信手段により受信されたコンテンツであってもよい。
本発明の情報端末装置において、前記コンテンツは、前記対象物に関連付けられているコンテンツであってもよい。
本発明の情報端末装置において、前記表示手段が、前記コンテンツを表示させる画像表示手段と、使用者の視線方向の実視野からの光を透過するとともに、前記画像表示手段に表示された情報を光学的に虚像として、前記実視野中に重畳的に表示する半透過光学素子とを具備しても良い。